(57)【特許請求の範囲】
【請求項１】
非接触通信可能な携帯装置との間で非接触通信を行う非接触通信端末であって、
非接触通信を行うアンテナと、
選択可能な複数種の処理機能を備えた回路部と、
前記処理機能に対応する処理内容を表示する表示部と、
前記アンテナと前記回路部とを収納する筐体と、
前記筐体の前記携帯装置を接近させる側の表面に装着される表面カバーとを備え、
前記複数種の処理機能から選択された少なくとも１種の処理機能に対応して、前記表面カバーが、取り替え可能に構成され、
前記表面カバーは、前記選択された処理機能以外の処理機能に対応する処理内容を表示する前記表示部の一部を、前記携帯装置を接近させる側から不可視とするよう構成されると共に、前記表面カバーは、パネルと表面シートにより構成され、前記パネルの前記携帯装置を接近させる側全面を覆い、前記表示部による表示内容が示された前記表面シートが設けられる非接触通信端末。
【請求項２】
請求項１に記載の非接触通信端末であって、
前記選択された処理機能に対応する処理内容は、開錠情報、警報情報、前記非接触通信可能な携帯装置の識別情報の照合ＯＫ又はＮＧ、警戒セット又は解除の少なくともいずれかを含む非接触通信端末。
【請求項３】
請求項１または２に記載の非接触通信端末であって、
前記回路部は、処理機能を設定する設定部を備えた非接触通信端末。
【請求項４】
請求項３に記載の非接触通信端末であって、
前記設定部は、切替スイッチによって機能が設定される非接触通信端末。
【請求項５】
請求項３または４に記載の非接触通信端末であって、
他の通信端末と通信する通信部をさらに備え、
前記設定部は、他の通信端末により前記通信部を介して機能が設定される非接触通信端末。
【請求項６】
請求項１乃至５のいずれか１項に記載の非接触通信端末であって、
前記回路部の前記携帯装置を接近させる側に前記回路部に命令入力を行うスイッチ部を備え、
前記回路部の前記スイッチ部よりも前記携帯装置を接近させる側の表面には表面保護シートを備え、
前記スイッチ部を用いた機能を用いる場合に、前記表面シートは、用いる機能に該当する前記スイッチ部に対応した箇所に、前記携帯装置を接近させる側から押圧操作されない状態では前記表面保護シートと離間し、前記携帯装置を接近させる側から押圧操作されると前記表面保護シートを介して前記回路部のスイッチ部に押圧操作を伝達する操作キーを備える非接触通信端末。
【請求項７】
請求項６に記載の非接触通信端末であって、
前記表面カバーの、前記携帯装置を接近させる側に前記表面シートが貼付されており、
前記表面シートの前記操作キーの位置に対応して、前記パネルが前記回路部の前記スイッチ部に操作を伝達するように可動ボタンを具備し、
前記可動ボタンと前記表面シートとの間には、前記操作キーに対応する箇所にスペーサを備えた非接触通信端末。
【請求項８】
請求項７に記載の非接触通信端末であって、
前記スペーサは２層で構成されており、
前記スペーサの前記表面シート側は、前記パネル側より硬度が高い非接触通信端末。
【請求項９】
請求項７または８に記載の非接触通信端末であって、
前記表面シートは、前記操作キーに対応する領域では１層構造とし、前記領域以外では２層構造である非接触通信端末。
【発明の詳細な説明】
【技術分野】
【０００１】
本発明は、非接触通信端末に係り、特に、個々の識別情報を記憶する非接触型ＩＣカード、タグ、携帯電話などの携帯装置から、その識別情報を読み取るようにした非接触ＩＣカードリーダ、タグリーダ等のカードリーダ本体前面に設けられるキー入力操作器を取り換え可能にした汎用型の非接触通信端末に関するものである。
【背景技術】
【０００２】
非接触通信端末の一つに、入退室管理などに利用される非接触ＩＤシステムが提案されている。この非接触ＩＤシステムを構成する、非接触ＩＣカードリーダおよびＩＣカードの内部回路構成図を図２２に示す（例えば特許文献１）。このカードリーダは、図２２に示すように、制御回路部２１１０と、変調回路部２１２０と、ＲＦ送信回路部２１３０と、ＲＦ受信回路部２１５０と、復調回路部２１４０と、アンテナ３１６０と、暗証番号等を入力するためのテンキー２１７０とを備えている。上述したように、テンキー２１７０は、カードリーダ本体Ｓの外表面に配置されている。そしてこのテンキー２１７０とアンテナ３１６０を除く回路は回路基板に装備され、回路部２０を構成する。そしてＩＣカードＣの情報を読み取るように構成されているが動作説明については後述する。
【０００３】
図２３は、このカードリーダの構造を示す分解斜視図である。
図２３に示すように、アンテナ３１６０、回路部１００ａはケース１００ｃ内に収納され、化粧板１００ｂで覆われている。さらに化粧板１００ｂの表面、すなわちカードリーダ本体の前面側には、キー入力操作器を構成するテンキーシート１７０が取り付けられている。このテンキーシート１７０は、テンキー用ケーブル１７１で回路部１００ａに接続されている。
【０００４】
そして、カードリーダ１００側では、利用者にテンキーシート１７０（図２２参照）から暗証番号を入力させることにより、本人確認のための二重の照合を行い、認証された後には、ドアロック解除などの承認動作を実行する。
【０００５】
つまり、この種の非接触ＩＤシステムは、カード照合に加えてテンキーによる暗証番号入力操作をさせることにより、セキュリティ機能を強化させることができるものである。
【０００６】
ところで、この種の非接触ＩＤシステムは、多様なシーンで用いられるため、入力機能の有無、警戒セット／解除機能の有無、テンキー入力機能の有無などの入力機能の種類に応じて、異なるテンキーシート１７０をもつ非接触ＩＤシステムを用意する必要があった。
また、屋内対応品である場合と、屋外対応品である場合とでは、防水塗装の有無で使い分ける、あるいは壁面の色との関係からカラーバリエーションを設ける必要もあった。
【０００７】
このような状況から、機能ごとに品種を設定し、受注生産をおこなっていたため、納期が長くなるという問題があった。また機能に対応した部品を設計する必要があり、少量多品種生産となり、コストの高騰を招くという問題があった。
【０００８】
また、キー入力の有無によってパネルの成型品を共通にしようとすると、通常、キー入力ありを想定した成型品をベースにして製造した場合、キー入力なしの場合には、キー入力部の凹凸など、不要な形状を切断するなどの別加工が必要となる。このため、コストの高騰を招くという問題があった。
【先行技術文献】
【特許文献】
【０００９】
【特許文献１】特開２００５−９２６３７号公報
【発明の概要】
【発明が解決しようとする課題】
【００１０】
本発明は、前記実情に鑑みてなされたもので、本体を共通にし、パネル交換あるいは表面シートを交換するのみで、所望のカードリーダなどの非接触通信端末を提供することを目的とする。
【課題を解決するための手段】
【００１１】
そこで本発明は、非接触通信可能な携帯装置との間で非接触通信を行う非接触通信端末であって、非接触通信を行うアンテナと、選択可能な複数種の処理機能を備えた回路部と、前記アンテナと前記回路部とを収納する筐体と、前記筐体の前記携帯装置を接近させる側の表面に装着される表面カバーとを備え、前記複数種の処理機能から選択された少なくとも１種の処理機能に対応して、前記表面カバーが、取り替え可能に構成されたことを特徴とする。
【００１２】
また本発明は、上記非接触通信端末であって、前記回路部は、処理機能を設定する設定部を備えたものを含む。
【００１３】
また本発明は、上記非接触通信端末であって、前記設定部は、切替スイッチによって機能が設定されるものを含む。
【００１４】
また本発明は、上記非接触通信端末であって、他の通信端末と通信する通信部をさらに備え、前記設定部は、他の通信端末により前記通信部を介して機能が設定されるものを含む。
【００１５】
また本発明は、上記非接触通信端末であって、前記回路部は、さらに、処理内容を表示する表示部を備えたものを含む。
【００１６】
また本発明は、上記非接触通信端末であって、前記筐体の前記携帯装置を接近させる側の表面に前記回路部に命令入力を行う操作キーを備え、前記操作キーを用いた機能を用いる場合に、前記表面カバーは、用いる機能に該当する前記操作キーに対応した箇所に操作部を備え、前記操作キーを用いた機能を用いない場合には、前記表面カバーは、用いない機能に該当する前記操作キーに対応した箇所には操作部を備えないものを含む。
【００１７】
また本発明は、上記非接触通信端末であって、前記表面カバーは、パネルと表面シートで構成され、前記表面シートのキーの位置に対応して、前記パネルが前記回路部に操作を伝達するように可動ボタンを具備したものを含む。
【００１８】
また本発明は、上記非接触通信端末であって、前記表面カバーの、前記携帯装置を接近させる側に前記表面シートが貼付されており、前記表面カバーと前記表面シートとの間には、前記操作部に対応する箇所にスペーサを備えたものを含む。
【００１９】
また本発明は、上記非接触通信端末であって、前記スペーサは２層で構成されており、
前記スペーサの前記表面シート側は、前記パネル側より硬度が高いものを含む。
【００２０】
また本発明は、上記非接触通信端末であって、前記表面シートは、前記操作部に対応する領域では１層構造とし、前記領域以外では２層構造であるものを含む。
【発明の効果】
【００２１】
上記構成によれば、基板実装、組み立て、検査など加工工程の多い本体を共通にすることで、大量生産化が可能となり、コストの低減をはかることができる。また、比較的加工の少ない表面パネルをはじめとする表面カバーのバリエーションにより対応可能となり、短納期対応が可能となる。さらにまた設置後のユーザーニーズの変化にも対応可能である。また、本体を共通にし、パネル交換あるいは表面シートを交換するのみで、利用者の所望の処理内容を容易に効率よく選択表示することができる。
【図面の簡単な説明】
【００２２】
【図１】本発明の実施の形態１に係る汎用型の非接触ＩＣカードリーダの概略構成を示す分解斜視図
【図２】（ａ）乃至（ｅ）は、本発明の実施の形態１に係る非接触ＩＣカードリーダの５種類の使用形態を示す図であり、各使用形態の非接触ＩＣカードリーダの正面図を示す
【図３】（ａ）乃至（ｃ）は同非接触ＩＣカードリーダのカードリーダ本体を構成する回路部をリアケースに装着した状態を示す正面図、側面図、および背面図
【図４】（ａ）乃至（ｄ）は、本発明の実施の形態１に係る非接触ＩＣカードリーダの部材構築説明図であり、（ａ）はカードリーダ本体、（ｂ）は取り付け枠、(ｃ)は表面カバー、（ｄ）は露出ベースを示す図
【図５】（ａ）乃至（ｄ）は、この非接触ＩＣカードリーダをスマートスクエアリーダ（テンキーあり）として構築した場合の正面図、右側面図、背面図及び下側面図
【図６】（ａ）乃至（ｄ）は、この非接触ＩＣカードリーダをスマートスクエアリーダ（テンキーなし）として構築した場合の正面図、右側面図、背面図及び下側面図
【図７】（ａ）乃至（ｃ）はこの非接触ＩＣカードリーダをスマートスクエアリーダ（テンキーあり）の表面カバーを示す正面図、右側面図、および下側面図
【図８】（ａ）乃至（ｃ）はこの非接触ＩＣカードリーダをスマートスクエアリーダ（テンキーなし）の表面カバーを示す正面図、右側面図、および下側面図
【図９】この非接触ＩＣカードリーダの取り付け金具の背面図
【図１０】（ａ）乃至（ｃ）はこの非接触ＩＣカードリーダをスマートスクエアリーダの表面カバーの表面シートを外した状態を示す正面図、右側面図、および下側面図
【図１１】（ａ）および（ｂ）はこの非接触ＩＣカードリーダをスマートスクエアリーダの表面カバーの表面シート(テンキーあり)を示す正面図、および背面図
【図１２】（ａ）および（ｂ）はこの非接触ＩＣカードリーダをスマートスクエアリーダの表面カバーの表面シート（テンキーなし）を示す正面図、および背面図
【図１３】図５（ａ）のＡ-Ａ断面である、スイッチありアクチュエータあり部を示す断面図
【図１４】図５（ａ）のＢ-Ｂ断面であるスイッチありアクチュエータなし部を示す断面図
【図１５】図６（ａ）のＣ-Ｃ断面であるスイッチなしアクチュエータあり部を示す断面図
【図１６】図６（ａ）のＤ-Ｄ断面であるスイッチなしアクチュエータなし部を示す断面図
【図１７】本発明の実施の形態２の非接触ＩＣカードリーダの断面図
【図１８】本発明の実施の形態３の非接触ＩＣカードリーダの断面図
【図１９】本発明の実施の形態４の非接触ＩＣカードリーダの断面図
【図２０】本発明の実施の形態４の非接触ＩＣカードリーダの断面図
【図２１】本発明の実施の形態５の非接触ＩＣカードリーダの内部回路構成説明図
【図２２】非接触ＩＣカードリーダの内部回路構成説明図
【図２３】従来例の非接触ＩＣカードリーダの説明図
【発明を実施するための形態】
【００２３】
以下、本発明の実施の形態に係る非接触通信端末としての非接触ＩＣカードリーダについて、図面を参照しつつ詳細に説明する。
【００２４】
（実施の形態１）
本実施の形態１の非接触ＩＣカードリーダは、表面カバー１０を取り替えるだけで、５種類の用途に使用可能なものである。
図１乃至図１６に従い、本発明の実施の形態１に係る汎用型の非接触ＩＣカードリーダを説明する。
【００２５】
本発明の実施の形態１の非接触ＩＣカードリーダは、選択可能な複数種の処理機能を備え、カードリーダ本体Ｓを構成する回路部を具備しており、複数種の処理機能から選択された処理機能に対応して、表面カバー１０が、取り替え可能に構成されたことを特徴とする。図１に分解斜視図を示すように、取り換え可能な表面カバー１０と、カードリーダ本体Ｓと、リアケース５０と、背面に取り付けられる取り付け金具６０及び露出ベース７０とを具備している。そしてこのカードリーダ本体Ｓは回路部２０と、アンテナ基板３０と、駆動回路を搭載した駆動基板４０とを具備している。この表面カバー１０は、表面パネル１１と、この表面に貼着される表面シート１２とで構成される。そしてこの回路部２０は、処理機能を設定する設定部を備え、切替スイッチによって機能が設定される。
【００２６】
本実施の形態１の非接触ＩＣカードリーダは、図２（ａ）乃至（ｅ）に示すように、表面カバーを取り替えるだけで、非接触ＩＣカードリーダの５種類の使用形態を提供できるようにしたことを特徴とするものである。
図２（ａ）は、テンキーなしで、電源情報、受付情報、開錠情報、エラー情報、警報情報をＬＥＤの色表示で表示可能とした非接触ＩＣカードリーダである。
図２（ｂ）は、テンキーなし警戒セット付きの非接触ＩＣカードリーダであり、図２（ａ）に示した非接触ＩＣカードリーダにセット情報、解除情報を付加した非接触ＩＣカードリーダである。
図２（ｃ）は、エレベータセキュリティゲート制御用の非接触ＩＣカードリーダであり、電源情報、受付情報に加え、ＯＫかＮＧかの情報をＬＥＤの色表示で表示可能とした非接触ＩＣカードリーダである。
図２（ｄ）は、テンキー・警戒セット付きの非接触ＩＣカードリーダであり、図２（ｂ）に示したテンキーなし警戒セット付きの非接触ＩＣカードリーダにテンキーを付加した非接触ＩＣカードリーダである。
図２（ｅ）は、出退勤・警戒セット付きの非接触ＩＣカードリーダであり、図２（ｂ）に示したテンキーなし警戒セット付きの非接触ＩＣカードリーダに出勤情報、戻り情報、外出情報、退勤情報を付加した非接触ＩＣカードリーダである。
【００２７】
次に、非接触ＩＣカードリーダのカードリーダ本体Ｓについて説明する。図３（ａ）乃至（ｃ）に同非接触ＩＣカードリーダのカードリーダ本体Ｓを構成する回路部２０をリアケース５０に装着した状態の正面図、側面図、および背面図を示す。カードリーダ本体Ｓは回路部２０にアンテナ基板３０及び駆動基板４０を装着して構成される。このカードリーダ本体Ｓは、回路部２０と、駆動基板４０とアンテナ基板３０とを具備し取り付けネジ２３でリアケース５０に取り付けられている。そしてこの回路部２０を構成する基板２１上に接続されたテンキーシート２２は駆動基板４０及びアンテナ基板３０に接続される。ここで２４はスピーカ、２５はフォトインタラプタ、２６は音量調節ボタン、２７はＬＥＤ、２８は可動ボタンである。またリアケース５０は、駆動基板４０の背面側に装着された、樹脂基板からなるケース本体５１を具備している。そしてこのケース本体５１の背面側には、メンテナンス用コネクタ５２、アンテナ出力調整用トリマコンデンサ５３、速結端子５４、終端抵抗５５、ブロック番号設定用ロータリスイッチ５６、運用設定用ＤＩＰスイッチ５７、機種設定用ＤＩＰスイッチ５８が設けられ、表面側で駆動基板４０に接続されている。５９は回路接続のための配線パターンである。これらブロック番号設定用ロータリスイッチ５６、運用設定用ＤＩＰスイッチ５７、機種設定用ＤＩＰスイッチ５８からなる設定部によって、機能が設定される。つまり回路部は、処理機能を設定する設定部を備え、これら切替スイッチによって処理機能を設定することができるようになっている。
例えば、あらかじめ切替スイッチである機種設定用ＤＩＰスイッチ５８により、警戒セットをセット／解除切り替えにより設定したり、テンキー入力を無視したり、有効化したりするなど、使用する機種に応じた設定を行うことができる。
【００２８】
すなわち、本実施の形態の非接触ＩＣカードリーダは、非接触通信を行うアンテナ基板３０と、複数種の処理機能を備えた回路部２０と、アンテナ基板３０と回路部２０とを収納する筐体としての露出ベース７０と、表面カバー１０とを備えている。そして、表面カバー１０は、取り替え可能に構成され、複数種の機能のうちの少なくともひとつを使用可能に構成されたことを特徴とする。そして回路部２０は表示内容を表示する表示部としてＬＥＤ２７を備えている。
【００２９】
そして図４（ａ）乃至（ｄ）は、本発明の実施の形態１に係る非接触ＩＣカードリーダの構築説明図である。図４（ａ）に示すカードリーダ本体、図４（ｂ）に示す取り付け金具は１種類であり、図４（ｃ）に示す表面カバーを１４品種から選択可能となっており図４（ｄ）に示す３種の専用露出ベースから白、ダークグレー、シルバーの３色が選択可能となっている。この各部材を個別に購入し、施工時にアセンブルするように構成されている。
【００３０】
次に、実際に、用途に従ってアセンブルする方法について説明する。
まず、図２（ｄ）に示したようなテンキー・警戒セット付きの非接触ＩＣカードリーダをアセンブルする場合について説明する。
図４（ｃ）に示す表面カバーを１４品種から選択し、テンキー・警戒セット付きの表面パネルを選択するとともに色を例えばシルバーに選択し、アセンブルすることで、図５（ａ）乃至（ｄ）に示すように、テンキー・警戒セット付きの非接触ＩＣカードリーダを得る。
図５（ａ）乃至（ｄ）は、この非接触ＩＣカードリーダをスマートスクエアリーダ（テンキーあり）として構築した場合の正面図、右側面図、背面図及び下側面図である。
図６（ａ）乃至（ｄ）は、この非接触ＩＣカードリーダをスマートスクエアリーダ（テンキーなし）として構築した場合の正面図、右側面図、背面図及び下側面図である。
実際には、前述したように、回路部２０にアンテナ基板３０及び駆動基板４０を装着して構成される。このカードリーダ本体Ｓは、回路部２０を構成する基板２１上に、駆動基板４０及びアンテナ基板３０に接続されたテンキーシート２２とを具備し取り付けネジ２３でリアケース５０に取り付けられる。またリアケース５０は、駆動基板４０の背面側にケース本体５１の表面側が対応するように装着され、表面側で駆動基板４０に接続される。そして取り付け金具６０と露出ベース７０とを駆動基板４０の背面に係合する。
【００３１】
次に、図２（ａ）に示したようなテンキーなし（警戒セットなし）の非接触ＩＣカードリーダをアセンブルする場合について説明する。
同様に、図４（ｃ）に示す表面カバーを１４品種から選択し、テンキーなしの表面パネルを選択するとともに色を例えばシルバーに選択し、アセンブルすることで、図６（ａ）乃至（ｄ）に示すように、テンキーなしの非接触ＩＣカードリーダを得る。
【００３２】
図５及び図６の比較から明らかなように、テンキー・警戒セット付きの非接触ＩＣカードリーダと、テンキーなし（警戒セットなし）の非接触ＩＣカードリーダとは表面カバー１０が異なるのみである。
【００３３】
図７及び図８にこのテンキー・警戒セット付きの非接触ＩＣカードリーダおよびテンキーなし（警戒セットなし）の非接触ＩＣカードリーダの表面カバーを示す。図７（ａ）乃至（ｃ）はこの非接触ＩＣカードリーダをスマートスクエアリーダ(テンキーあり)の表面カバーを示す正面図、右側面図、および下側面図である。図８（ａ）乃至（ｃ）はこの非接触ＩＣカードリーダをスマートスクエアリーダ（テンキーなし）の表面カバーを示す正面図、右側面図、および下側面図である。これらの比較からもテンキー・警戒セット付きの非接触ＩＣカードリーダと、テンキーなし（警戒セットなし）の非接触ＩＣカードリーダとは表面カバー１０が異なるのみであることがわかる。
【００３４】
図９は非接触ＩＣカードリーダ用取り付け金具６０を示す図である。この非接触ＩＣカードリーダ用取り付け金具６０の取り付け穴６１によって壁などに装着される。
【００３５】
表面カバー１０の表面シート１２を外し、表面パネル１１のみとした状態を図１０（ａ）乃至（ｃ）に示すように、回路部２０に可動ボタン２８が設けられており、この可動ボタン２８の動作がアクチュエータとしてテンキー等の操作を駆動基板４０に伝達できるように構成されている。
【００３６】
図１１および図１２は、テンキー・警戒セット付きの非接触ＩＣカードリーダおよびテンキーなし（警戒セットなし）の非接触ＩＣカードリーダの表面シートを示す。図１１および図１２の比較からも操作の伝達を必要とする箇所には可動ボタン２８が設けられ、可動ボタン２８に対応する位置にスペーサ１２５が形成されていることがわかる。表面シート１２の操作キーｋの操作が可動ボタン２８を押圧し、この可動ボタン２８の動作がアクチュエータとしてテンキー等の操作を駆動基板４０に伝達する。
【００３７】
つまり、筐体としての露出ベース７０の携帯装置を接近させる側の表面に回路部２０に命令入力を行う操作キーｋを表面シートに備えている。そしてさらにこの操作キーｋを用いた機能を用いる場合に、図１３乃至図１６に断面図を示すように、表面カバー１０は、用いる機能に該当する操作キーｋに対応した箇所に操作部としての可動ボタン２８を備えている。一方、操作キーを用いた機能を用いない場合には、表面カバーは、用いない機能に該当する操作キーｋに対応した箇所には操作部としての可動ボタン２８を備えない。
【００３８】
このように、表面カバー１０は、パネル１１と表面シート１２で構成され、表面シート１２の操作キーｋの設定に対応して、パネル１１が回路部２０に操作を伝達するように可動ボタン２８を具備している。この構成により、表面シート１２の操作キーｋに従って回路部２０が操作され、所望の回路駆動が実現される。一方可動ボタン２８を有しない領域では操作キーｋの位置に対応して、パネル１１が回路部２０に操作を伝達するように可動ボタン２８を具備している。
【００３９】
さらにまた、表面カバー１０の、ＩＣカードなどの携帯装置を接近させる側に表面シート１２が貼付されており、パネル１１と表面シート１２との間には、可動ボタン２８に対応する箇所にスペーサ１２５を備えている。
【００４０】
すなわち、図１３は非接触ＩＣカードリーダのスマートスクエアリーダ（テンキーあり）のテンキー部を示す、図５（ａ）のＡ−Ａ断面を示す図であり、図１４は操作キーｋに対応しない箇所を示す、図５（ａ）のＢ−Ｂ断面を示す図である。図１３および図１４の比較から明らかなように、操作キーｋに対応するアクチュエータとしての可動ボタン２８が図１３では、存在するのに対し、図１４では存在しない。
【００４１】
また、図１５は非接触ＩＣカードリーダのスマートスクエアリーダ（テンキーなし）のテンキー部相当領域を示す、図６（ａ）のＣ−Ｃ断面を示す図であり、図１６は操作キーｋに対応しない箇所を示す、図６（ａ）のＤ−Ｄ断面を示す図である。図１５および図１６の比較から明らかなように、テンキー部（操作キーｋ）に対応するアクチュエータとしての可動ボタン２８が図１５では、存在するのに対し、図１６では存在しない。
【００４２】
この表面カバー１０は露出ベース７０の前面に接着剤８０を介して固着されたカードリーダ本体Ｓに、さらに接着剤８１を介して装着されており、パネル１１と表面シート１２とを具備している。そしてこのパネル１１は、樹脂成型体で構成され、対応箇所にアクチュエータとしての可動ボタン２８を有している。
また表面シート１２は、第１の表面シート１２ａと第２の表面シート１２ｂとで構成され、操作部すなわち操作キーｋに対応する可動ボタン２８の存在する領域では図１３および図１４に示すように１層構造とし、上記領域以外では２層構造となっている。
【００４３】
つまり図１３に示すように操作キーｋに対応する可動ボタン２８の存在する領域では第１の表面シート１２ａのみの単層構造で構成されている。これにより、可動ボタン２８の存在しない領域との段差が低減されるだけでなく、表面シートの可撓性が向上し、変位し易くなる。また第１の表面シート１２ａのみの単層構造で構成することで、第２の表面シート１２ｂの厚さ分、スペーサ１２５の厚みを厚くすることができる。このため第１の表面シート１２ａがスペーサ１２５を介して可動ボタン２８を押圧する、感触すなわちクリック感を高めることができる。
【００４４】
このように、操作キーｋに対応する可動ボタン２８の存在する領域では表面シートを１層構造とし、それ以外の領域では表面シートを２層構造とすることで、表面の段差が低減されるとともに、操作性の向上をはかることができる。
【００４５】
また、図１３乃至図１６に示すように、回路部２０は多層基板で構成されている。この回路部２０においては、ＬＥＤ実装部２０１上にＬＥＤスペーサ２０２を介して可撓性基板（ＦＰＣ）２０３が形成されている。そして、この可撓性基板２０３上に形成された回路に接続された下接点２０３ａに対向するように接点シート２０５に上接点２０５ａが配置され、これら下接点２０３ａ，上接点２０５ａの間隔はスペーサ２０４で確保されている。またこの接点シート２０５の背面にはメタルドーム２０６Ｍが配設されておりメタルドームスペーサ２０６及び、メタルドーム押さえ２０７を介して表面保護シート２０８が装着されている。
【００４６】
例えば図１３に示すように、キー部が押圧されるとスペーサ１２５が押圧され可動ボタン２８を押す。このとき表面保護シート２０８を介してメタルドーム２０６Ｍが変位する。そしてこのメタルドーム２０６Ｍが変位し、接点シート２０５を介して上接点２０５ａが変位し、下接点２０３ａに接触し、導通して可撓性基板２０３のＬＥＤ点灯回路をオンとし、所定箇所のＬＥＤ２７（図２０参照）を点灯する。
これにより、確実に効率よくスイッチング操作が回路部に伝達され、所望の操作が実現される。
【００４７】
次にこの回路部２０を含むカードリーダ本体Ｓについて簡単に説明する。
図２３に示したように、このカードリーダ本体Ｓは、制御回路部２１１０と、変調回路部２１２０と、ＲＦ送信回路部２１３０と、ＲＦ受信回路部２１５０と、復調回路部２１４０と、アンテナ３１６０と、暗証番号等を入力するためのテンキー２１７０とを備えている。上述したように、テンキー２１７０は、カードリーダ本体Ｓの外表面に配置されている。そしてこのテンキー２１７０とアンテナ３１６０を除く回路は回路基板に装備され、回路部２０を構成する。制御回路部２１１０は、以下の各回路の制御と符号化・復号化を行う。そしてまた、変調回路部２１２０は送信データによって搬送波の変調を行う。またＲＦ送信回路部２１３０は所望の送信パワーとなるまで増幅を行う。さらにＲＦ受信回路部２１５０は、ＩＣカードＣからの返信信号を増幅し帯域制限を行うフィルタを内蔵する。復調回路部２１４０はＩＣカードＣから返信される変調信号を復調する。アンテナ３１６０は、ＩＣカードＣと通信を行うのに用いられる。このテンキーは操作キーｋの一部を構成する。
【００４８】
また、ＩＣカードＣは、制御回路部２１０と、メモリ２２０と、復調回路部２４０と、変調回路部２３０と、電源生成回路部２５０と、アンテナ２６０とを備えている。制御回路部２１０は、以下の各回路の制御と符号化・復号化を行う。メモリ２２０は、識別情報等を記憶する。復調回路部２４０は、カードリーダ本体Ｓからの質問信号を復調する。変調回路部２３０は、カードリーダ本体Ｓからの信号に応答するデータで変調を行う。電源生成回路部２５０は内部で使用する電源電圧を生成する。そしてアンテナ２６０は、カードリーダ本体Ｓと通信を行うのに用いられる。
【００４９】
次に、非接触ＩＣカードリーダに対して、利用者がＩＣカードＣをかざしたときの動作について説明する。
【００５０】
カードリーダ本体Ｓは、制御回路部２１１０で質問信号を生成するとともに符号化を行い、変調回路部２１２０にて変調し、ＲＦ送信回路部２１３０で増幅後、アンテナ３１６０を介して、ＩＣカードＣに信号を送信する。
【００５１】
ＩＣカードＣは、カードリーダ本体Ｓからの送信信号をもとにして、内部で使用する電源を電源生成回路２５０にて生成する。電源生成回路２５０より電源が供給される復調回路部２４０で質問信号を復調した後に、制御回路部２１０で復号化し質問信号を解読する。制御回路部２１０は、メモリ２２０に記憶している識別情報を含んだ応答信号を生成し、変調回路部２３０でカードリーダ本体Ｓからの無変調搬送波に対し変調を行い、アンテナ２６０を介してカードリーダ本体Ｓに信号を返信する。
【００５２】
次にカードリーダ本体Ｓは、ＲＦ受信回路部２１５０、復調回路部２１４０で返信信号を受信した後、制御回路部２１１０内で復号化することによりＩＣカードＣを識別する。
【００５３】
さらに、カードリーダ本体Ｓ側では、利用者にテンキー２１７０から暗証番号を入力させることにより、本人確認のための二重の照合を行い、認証された後には、ドアロック解除などの承認動作を実行する。
【００５４】
つまり、この種の非接触ＩＤシステムは、カード照合に加えてテンキーによる暗証番号入力操作をさせることにより、セキュリティ機能を強化させるものである。
【００５５】
そして、カードリーダ本体Ｓに設けられたコイル型のアンテナ３１６０に交流電流を流すと、電磁誘導により空中に高周波の交流磁界が発生する。カードリーダ本体ＳにＩＣカードＣを対向させると、カード内のループアンテナ２６０がカードリーダ本体Ｓのアンテナ２１６０からの交流磁界を受ける。交流磁界を受けたＩＣカードＣには交流電圧が発生し、これを直流に整流して、ＩＣを動作させるための電源となる。そして、その後、カードリーダ本体ＳとＩＣカードＣとの間で通信が行われる。
【００５６】
テンキーシート２２（図３参照）を備えたカードリーダの場合、テンキーシート２２はカードリーダ本体Ｓの前面に配置されているため、ＩＣカードＣは、テンキーシート２２を介して交流磁界を受けることになる。
【００５７】
すなわち、カードリーダ本体Ｓ、ＩＣカードＣ間の通信は、マトリクス回路を内蔵したテンキーシート２２を磁界が通過するように行われる。一方、テンキーシート２２では、キーが押下されると、マトリクス回路に閉ループが形成される。このようにして、ＩＣカードの読み取りが行われる。
【００５８】
以上のように、本実施の形態の非接触ＩＣカードリーダによれば、加工（基板実装、組立、検査など）の多い本体を共通にすることで、ＭＴ化を実現することができる。従ってマスメリットによるコスト低減が可能となる。また加工の少ないパネルバリエーションによる機能選択となり、短納期対応が可能となる。
さらにまた設定部を操作し表面カバーを取り替えるだけで所望の処理機能を動作させることができるため、設置後のユーザーニーズの変化にも対応可能である。
【００５９】
このようにして、表面シートとパネルのみを取り替えるだけで、５種類の用途に使用可能であり、製造が容易でかつ安価である。
また、表面がフラットなキー入力有りを想定したパネルをベースとして、キー入力無しの場合には、パネル成型品に表面シートを貼るだけでよいため取扱が容易である。
キー入力有りの場合には、エンボス加工部の裏側にスペーサを貼付した表面シートにより、キー操作の伝達により操作実行を成立させる。
また、表面シートのバリエーションだけで、キー入力の有無が実現可能となる。
さらにまた上記構成によれば、パネル成型品の後加工を無くすことが可能になり、コスト低減が可能となる。
【００６０】
また、本実施の形態では、シートスイッチにＬＥＤ２７を組み込むことで、スイッチとＬＥＤ２７を一体化している。
従って、部品点数削減。組立工数が削減できるため、コスト低減が可能となる。
【００６１】
なお、上述したように、キー入力無しの場合や、表面シートでキー入力の無い部分は、パネル成型品のキー形状の微妙な凹凸が表面シートの表面に現れ外観を損ねる。一方、これを回避するため、表面シートの厚みを大きくすると、エンボス加工部が撓みにくくなり、キー入力の操作感を損ねる。従ってキー入力無しの場合には、表面シートを厚くし、キー入力有りの場合は、キーの無い部分は厚いシート＋キーのある部分は薄いシートの、２層構造にすることで、操作性が向上する。このようにして、キー入力の操作感を損ねることなく、凹凸の目立たない外観との両立が可能となる。
【００６２】
（実施の形態２）
前記実施の形態１では設定部を構成するスペーサは単層構造で構成したが、図１７に示すようにキー部側をスポンジ１２５Ｓとし、アクチュエータ側をＰＥＴ（ポリエチレンテレフタレート）スペーサ１２５Ｒとし２層構造としてもよい。他部については前記実施の形態１において図１３乃至１６に回路部２０の断面図を示した非接触ＩＣカードリーダと同様であるためここでは説明を省略するが、同一部位には同一符号を付した。
スペーサについては、キー部側をスポンジ１２５Ｓとすることで、第１の表面シート１２ａとの接触面が弾性を持ち柔らかくなることになるため、長期にわたる使用に際しても表面シートの摩耗による破損を防ぐことができる。またパネル側をＰＥＴ（ポリエチレンテレフタレート）スペーサ１２５Ｒとすることで、適度の硬さを持たせることができ、第１の表面シート１２ａがスペーサ１２５を介して可動ボタン２８を押圧する、感触すなわちクリック感を高めることができる。
従って、容易に効率よく操作を行うことが可能となる。
【００６３】
（実施の形態３）
前記実施の形態１では、設定を構成するスペーサは単層構造で構成したが、本実施の形態の非接触ＩＣカードリーダでは、図１８に示すように２層構造のスポンジ１２５Ｓ１，１２５Ｓ２で構成してもよい。他部については前記実施の形態１において図１３乃至１６に回路部２０の断面図を示した非接触ＩＣカードリーダと同様であるためここでは説明を省略するが、同一部位には同一符号を付した。
なお、スペーサは２層で構成するのが望ましい。この場合、スペーサの表面シート側に位置するスポンジＳ１は、パネル側に位置するスポンジＳ２より硬度が低くなるようにするのが望ましい。
この場合も前記実施の形態２と同様、スペーサについては、キー部側を柔らかいスポンジ１２５Ｓ１とすることで、第１の表面シート１２ａとの接触面が弾性を持ち柔らかくなることになるため、長期にわたる使用に際しても表面シートの摩耗による破損を防ぐことができる。またパネル側をより硬度の高いスペーサ１２５Ｓ２とすることで、適度の硬さを持たせることができ、第１の表面シート１２ａがスペーサ１２５を介して可動ボタン２８を押圧する、感触すなわちクリック感を高めることができる。
この構成によれば、さらに容易に効率よく操作を行うことが可能となる。
【００６４】
（実施の形態４）
前記実施の形態１では設定を構成するスペーサは単層構造で構成したが、本実施の形態の非接触ＩＣカードリーダでは、図１９に示すように１層構造のスポンジ１２５Ｓで構成し、厚さを調整するようにしてもよい。図２０はＬＥＤを含む断面を示す図である。他部については前記実施の形態１において図１３乃至１６に回路部２０の断面図を示した非接触ＩＣカードリーダと同様であるためここでは説明を省略するが、同一部位には同一符号を付した。
この構成によれば、さらに容易に効率よく操作を行うことが可能となる。
この構成によっても、表面カバー１０を取り替えるだけで、５種類の用途に使用可能である。
また、本実施の形態では、図２０に示したようにシートスイッチにＬＥＤ２７を組み込むことで、スイッチとＬＥＤ２７を一体化している。
従って、部品点数削減。組立工数が削減できるため、コスト低減が可能となる。
【００６５】
なお、前記実施の形態１乃至４において表面カバー１０のパネル１２のエンボス加工部の裏側のスペーサの位置については、片側支点の場合、キー中央部でなく、中央部から支点と反対側へ少しずらすことで、より変位が容易となる。
また、エンボス加工の面積が大きいなど、撓み易いときは、スペーサの厚みを厚くし、面積が小さいなど、撓みにくいときは、スペーサを薄くすることで、操作性を高め、信頼性の高い読み取りを実現することが可能となる。この構成によれば、形状によらず良好な操作感を得ることができる。
【００６６】
また、キー入力部である操作キーの形状は、機能によって丸型、角型などの場合があるが、操作キーの形状を楕円形状とすることで、いずれの形状にも対応可能である。従って、入力部の形状により成型品を変更する必要がなく、汎用性を高めることができる。
【００６７】
（実施の形態５）
前記実施の形態１では、設定は、設定部で行うようにしたが、本実施の形態の非接触ＩＣカードリーダでは、図２１に示すように通信端末と通信する通信部２０２０をさらに備え、設定部は、他の通信端末により通信部２０２０を介して機能が設定されるようにしてもよい。他部については前記実施の形態１において図２２に内部回路構成図を示した非接触ＩＣカードリーダと同様であるためここでは説明を省略するが、同一部位には同一符号を付した。
この構成によれば、設定が多様となり通信部２０２０を介して遠隔地における操作を行うことも容易である。
【符号の説明】
【００６８】
１０  表面カバー
１１  パネル
１２  表面シート
１２ａ  第１の表面シート
１２ｂ  第２の表面シート
２０  回路部
２１  回路基板
２２  テンキーシート
２３  取り付けネジ
２４  スピーカ
２５  フォトインタラプタ
２６  音量調節ボタン
２７  ＬＥＤ
２８  可動ボタン
３０  アンテナ基板
４０  駆動基板
５０  リアケース
５１  ケース本体
５２  メンテナンス用コネクタ
５３  アンテナ出力調整用トリマコンデンサ
５４  速結端子
５５  終端抵抗
５６  ブロック番号設定用ロータリスイッチ
５７  運用設定用ＤＩＰスイッチ
５８  機種設定用ＤＩＰスイッチ
５９  回路接続のための配線パターン
６０  取り付け金具
６１  取り付け穴
７０  露出ベース
１２５  スペーサ
１２５Ｓ  スポンジ
２０１  ＬＥＤ実装部
２０２  ＬＥＤスペーサ
２０３  可撓性基板（ＦＰＣ）
２０３ａ  下接点
２０５  接点シート
２０５ａ  上接点
２０４  スペーサ
２０６Ｍ  メタルドーム
２０６  メタルドームスペーサ
２０７  メタルドーム押さえ
２０８  表面保護シート
Ｓ  カードリーダ本体
Ｃ  ＩＣカード
２１０  制御回路部
２２０  メモリ
２３０  変調回路部
２４０  復調回路部
２５０  電源生成回路部
２６０  アンテナ
２１１０  制御回路部
２１２０  変調回路部
２１３０  ＲＦ送信回路部
２１４０  復調回路部
２１５０  ＲＦ受信回路部
３１６０  アンテナ
２１７０  テンキー
２０２０  通信部
【図１】
0005927531.tif 000002
【図２】
0005927531.tif 000003
【図３】
0005927531.tif 000004
【図４】
0005927531.tif 000005
【図５】
0005927531.tif 000006
【図６】
0005927531.tif 000007
【図７】
0005927531.tif 000008
【図８】
0005927531.tif 000009
【図９】
0005927531.tif 000010
【図１０】
0005927531.tif 000011
【図１１】
0005927531.tif 000012
【図１２】
0005927531.tif 000013
【図１３】
0005927531.tif 000014
【図１４】
0005927531.tif 000015
【図１５】
0005927531.tif 000016
【図１６】
0005927531.tif 000017
【図１７】
0005927531.tif 000018
【図１８】
0005927531.tif 000019
【図１９】
0005927531.tif 000020
【図２０】
0005927531.tif 000021
【図２１】
0005927531.tif 000022
【図２２】
0005927531.tif 000023
【図２３】
0005927531.tif 000024